(57)【要約】【課題】吐水部と支持管とを確実かつ安定的に連結することができて、ガタツキが発生せず、吐水部の引き出し操作も容易な水栓装置を提供する。【解決手段】水栓装置は、シンクや洗面台などの設置面Ｓ上に据え付けられる本体部と、この本体部から上方に起立するとともに滑らかに湾曲して垂下した形状の支持管５２と、基端部が給水源（図示せず）に連通した状態で支持管５２内に出し入れ可能に収納された自在管５６と、この自在管５６の先端部５６ａに接続された状態で支持管５２の先端部５２ａに着脱可能に連結された吐水部５３と、を備えている。支持管５２の先端部５２ａには、自在管５６を包囲した状態で環状連結部５７が突設され、この環状連結部５７を挿入するため吐水部５３の基端部５３ｙから先端部５３ｘに向かって自在管５６を包囲した状態で筒状連結部６０が開設されている。【選択図】  図６
2007085142.tif 000002
【特許請求の範囲】
【請求項１】
設置面上に据え付けられる本体部から上方に起立するとともに滑らかに湾曲して垂下した形状の支持管と、基端部が給水源に連通した状態で前記支持管内に出し入れ可能に収納された自在管と、前記自在管の先端部に接続された状態で前記支持管の先端部に着脱可能に連結された吐水部とを備え、
前記支持管の先端部に前記自在管を包囲した状態で突設された環状連結部と、前記環状連結部を挿入するため前記吐水部の基端部から先端部に向かって前記自在管を包囲した状態で開設された筒状連結部と、を設け、
前記環状連結部の突設方向を、前記支持管の先端部における中心軸の仮想延長線より下方に傾斜させて配置したことを特徴とする水栓装置。
【請求項２】
前記吐水部に、押圧操作により吐水状態、止水状態を切替可能な吐水装置を設けたことを特徴とする請求項１記載の水栓装置。
【請求項３】
前記環状連結部の外周および前記筒状連結部の内周にそれぞれ横断面形状が楕円形状、長円形状若しくは多角形状をなし、互いに係脱可能な嵌合部を設けたことを特徴とする請求項１または２記載の水栓装置。
【請求項４】
前記吐水部を、合成樹脂で形成された吐水具本体と、前記吐水具本体の外表面を略密着状に被覆する金属製のカバーと、で形成したことを特徴とする請求項１〜３のいずれかに記載の水栓装置。
【請求項５】
前記吐水装置より上流側の水圧が規定圧力を超えると開弁し、前記吐水具本体と前記カバーとの隙間に排水する安全弁を前記吐水具本体内に設けたことを特徴とする請求項４記載の水栓装置。
【発明の詳細な説明】
【技術分野】
【０００１】
本発明は、一般住宅の流し台や洗面台などに配置される水栓装置に関する。
【背景技術】
【０００２】
台所や洗面台などに設置される水栓装置は、従来、様々なデザイン、形状、機能を備えたものが使用されてきたが、近年、吐水具部分を引っ張ると、水栓装置本体に内蔵された自在管（自在管）とともに吐水具を引き出すことのできるものが開発されている。このような水栓装置として、例えば、特許文献１記載の「水栓」がある。この「水栓」（水栓装置）は、水栓本体の内部にホースを収納し、ホース吐水端に接続した吐水具を引き出し自在としたものであって、吐水具が水栓本体と接続された状態において一定範囲内において吐水具が回転可能である。
【０００３】
【特許文献１】特開２００３−２６８８２４号公報
【発明の開示】
【発明が解決しようとする課題】
【０００４】
特許文献１記載の「水栓」の場合、支持管と吐水具との連結部分において互いに係合している部分が短いだけでなく、樹脂部材同士の嵌合を利用して固定されているため、ガタツキが大きい。また、吐水・止水を押圧操作で切り替える開閉弁を吐水具の先端部分に設けた場合、押圧操作を行ったときに吐水具が支持管から離脱して落下する可能性がある。
【０００５】
また、特許文献１記載の「水栓」を、台所用として多用されている、所謂、グースネックタイプの水栓に利用した場合、吐水具の位置が高くなり、使用者側への突出寸法も大きくなるため、吐水具を引き出し難くなることがある。
【０００６】
本発明が解決しようとする課題は、吐水部と支持管とを確実かつ安定的に連結することができて、ガタツキが発生せず、吐水部の引き出し操作も容易な水栓装置を提供することにある。
【課題を解決するための手段】
【０００７】
本発明の水栓装置は、設置面上に据え付けられる本体部から上方に起立するとともに滑らかに湾曲して垂下した形状の支持管と、基端部が給水源に連通した状態で前記支持管内に出し入れ可能に収納された自在管と、前記自在管の先端部に接続された状態で前記支持管の先端部に着脱可能に連結された吐水部とを備え、
前記支持管の先端部に前記自在管を包囲した状態で突設された環状連結部と、前記環状連結部を挿入するため前記吐水部の基端部から先端部に向かって前記自在管を包囲した状態で開設された筒状連結部と、を設け、
前記環状連結部の突設方向を、前記支持管の先端部における中心軸の仮想延長線より下方に傾斜させて配置したことを特徴とする。
【０００８】
このような構成とすれば、吐水部の基端部に開設された筒状連結部内に、支持管の先端部に突設された環状連結部が深く挿入されることによって吐水部と支持管とが連結されるため、吐水部と支持管とを確実かつ安定的に連結することができて、ガタツキも発生しない。また、支持管の先端部に突設された環状連結部の突設方向を、当該支持管の先端部における中心軸の仮想延長線より下方に傾斜させて配置しているため、重力方向に近い角度で吐水部を引き出すことが可能であり、吐水部の引き出し操作も容易である。
【０００９】
ここで、前記吐水部に、押圧操作により吐水状態、止水状態を切替可能な吐水装置を設ければ、吐水部において、吐水・止水の切替操作を行うことが可能となるため、使い易さが向上する。
【００１０】
また、前記環状連結部の外周および前記筒状連結部の内周にそれぞれ横断面形状が楕円形状、長円形状若しくは多角形状をなし、互いに係脱可能な嵌合部を設けることが望ましい。このような構成とすれば、吐水部が支持管に連結された状態にあるとき、吐水部は支持管に対して回転不能となるため、連結時の安定性がさらに向上する。
【００１１】
一方、前記吐水部を、合成樹脂で形成された吐水具本体と、前記吐水具本体の外表面を略密着状に被覆する金属製のカバーと、で形成することもできる。このような構成とすれば、十分な強度および耐久性を確保しつつ、軽量化を実現することができる。また、金属製のカバーに対してはメッキ加工による意匠性の向上も図ることができる。
【００１２】
また、前記吐水装置より上流側の水圧が規定圧力を超えると開弁し、前記吐水具本体と前記カバーとの隙間に排水する安全弁を前記吐水具本体内に設ければ、給水源における水圧上昇などのトラブルが発生したときに、吐水部や自在管などの構成部材が損傷したり、破壊したりするのを防止することができる。
【発明の効果】
【００１３】
本発明により、吐水部と支持管とを確実かつ安定的に連結することができて、ガタツキが発生せず、吐水部の引き出し操作も容易な水栓装置を提供することができる。
【発明を実施するための最良の形態】
【００１４】
以下、図面に基づいて、本発明の実施の形態について説明する。図１は本発明の実施の形態である水栓装置を示す側面図、図２は図１に示す水栓装置の吐水部を引き出した状態を示す側面図、図３は図１に示す水栓装置を構成するスパウトおよび吐水部の正面図、図４は図２に示す水栓装置の一部省略正面図、図５は図３におけるＡ−Ａ線断面図、図６は図４におけるＢ−Ｂ線断面図である。また、図７は図１に示す水栓装置の吐水部付近の分解図、図８は図５の一部拡大図、図９は図１に示す水栓装置の吐水部を構成する開閉バルブの分解斜視図、図１０は図８におけるＤ−Ｄ線断面図、図１１は図５におけるＣ−Ｃ線断面図である。
【００１５】
図１，図２に示すように、本実施形態の水栓装置５０は、シンクや洗面台などの設置面Ｓ上に据え付けられる本体部５１と、この本体部５１から上方に起立するとともに滑らかに湾曲して垂下した形状の支持管５２と、基端部が給水源（図示せず）に連通した状態で支持管５２内に出し入れ可能に収納され引き出された状態では自在に屈曲する自在管５６と、この自在管５６の先端部５６ａ（図５参照）に接続された状態で支持管５２の先端部５２ａに着脱可能に連結された吐水部５３と、を備えている。支持管５２の先端部５２ａには、自在管５６を包囲した状態で環状連結部５７が突設され、この環状連結部５７を挿入するため吐水部５３の基端部５３ｙから先端部５３ｘに向かって自在管５６を包囲した状態で筒状連結部６０（図６参照）が開設されている。環状連結部５７はネジ６２により自在管５６の先端部５２ａに固定されている。
【００１６】
支持管５２の先端部５２ａに突設された環状連結部５７の突設方向Ｐは、支持管５２の先端部５２ａにおける中心軸の仮想延長線Ｌより下方に傾斜させて配置している。吐水部５３の正面部分には吐水装置１０が配置され、吐水部５３の先端部５３ｘには、湯水の吐水口５４ａを有する切替操作部５４が配置されている。本体部５１には、吐水口５４ａから吐出される湯の温度と流量とを調節するための流量温度調節部５５が設けられ、吐水部５３正面の吐水装置１０には、押圧操作により、湯水の吐出状態と止水状態とを切り替えるための押しボタン１１が設けられている。支持管５２は、本体部５１から鉛直上方に起立した後、滑らかに湾曲して下方に垂下する、所謂、グースネック状に形成されている。
【００１７】
環状連結部５７の基端部外周および筒状連結部６０の基端部内周には、それぞれ横断面形状が楕円形状をなし、互いに係脱可能な嵌合部５７ａ，６０ａが設けられている。従って、吐水部５３を支持管５２に連結することにより、筒状連結部６０内に環状連結部５７が収納され、嵌合部５７ａ，６０ａ同士が互いに嵌合しているとき、吐水部５３は支持管５２に対して回動不能な状態に保たれる。
【００１８】
一方、環状連結部５７の先端部外周には周溝５７ｂが形成され、筒状連結部６０の上方内周面には、周溝５７ｂに係脱可能な略Ｖ字状の板バネ５８が、その角部５８ａを筒状連結部６０内へ弾性的に出没可能に突出させて配置されている。吐水部５３を支持管５２に連結する際に、吐水部５３の筒状連結部６０内に環状連結部５７が挿入されると、環状連結部５７の周溝５７ｂに板バネ５８の角部５８ａが弾性的に係合することにより、吐水部５３が支持管５２の先端部５２ａに固定される。また、板バネ５８の角部５８ａが環状連結部５７の先端部５７ｃを乗り越えて周溝５７ｂに係合する際に、角部５８ａが先端部５３ｘを乗り越えるときに生じるたわみ力と、このたわみ力がなくなったときとの差でクリック音が発生するので、係合完了を確認することができる。
【００１９】
設置面Ｓ下に配設される水供給管および湯供給管（図示せず）からそれぞれ供給される水および湯は、流量温度調節部５５の設定に従って本体部５１内で適宜混合され、吐水部５３先端の吐水口５４ａから吐出される。このとき、吐水部５３先端の切替操作部５４を回動させることにより、吐水口５４ａからの吐水状態を、シャワー吐水または直流吐水に切り替えることができる。図５，図６に示すように、吐水部５３の基端部５３ｙ側には、支持管５２内に出し入れ可能に収容された自在管５６が継ぎ手６１を介して接続され、吐水部５３は支持管５２から突出した環状連結部５７に対して着脱自在となっているため、使用者が吐水部５３を掴んで、環状連結部５７の突設方向Ｐに引っ張れば、自在管５６が容易に引き出され、自在管５６の屈曲可能範囲内で吐水部５３を自由に動かすことができる。
【００２０】
吐水部５３は、図７〜図９に示すように、合成樹脂で形成された吐水具本体５３ｂと、この吐水具本体５３ｂの外表面を略密着状に被覆する金属製のカバー５３ａと、吐水装置１０と、切替操作部５４と、を備えている。自在管５６の先端部５６ａに取り付けられた継ぎ手６１を係止具５９で吐水具本体５３ｂ内に固定することにより、自在管５６が吐水部５３に着脱可能に固定され、吐水具本体５３ｂも係止具５９によってカバー５３ａ内に固定されている。吐水具本体５３ｂの内部には、自在管５６と連通する通水路５３ｃ，５３ｄが形成され、吐水具本体５３ｂの正面部分には、吐水装置１０を取り付けるための凹形状の受入部５３ｅが、通水路５３ｃ，５３ｄに臨んだ状態で穿設されている。また、吐水装置１０の上流側の通水路５３ｃ内の水圧が異常上昇した場合に、吐水装置１０を迂回して湯水を流出させるための安全弁１９が、通水路５３ｃ，５３ｄの下方の吐水具本体５３ｂ内に設けられている。
【００２１】
図７〜図９に示すように、吐水装置１０は、通水路５３ｃ，５３ｄが形成された吐水具本体５３ｂと、吐水具本体５３ｂ内の通水路５３ｃ，５３ｄを開閉するため通水路５３ｃ，５３ｄに臨む状態で配置された主弁体１２とパイロット弁部１３とからなる開閉バルブと、パイロット弁部１３を受入部５３ｅに固定するためパイロット弁部１３を収納した状態で吐水具本体５３ｂに螺着されたバルブ押さえ１４と、パイロット弁部１３内のパイロット弁１３１を進退操作するための押しボタン１１と、を備えている。また、バルブ押さえ１４の外周には、ボタンガイド１５が吐水具本体５３ｂに対して回転不能に装着され、このボタンガイド１５に対して、押しボタン１１が回転不能に装着されている。また、ボタンガイド１５は、断面がクランク形状をなすように折曲したストッパ１６を用いて、吐水具本体５３ｂに対して回転不能に装着されている。
【００２２】
受入部５３ｅの底部には、押しボタン１１の押圧操作によって昇降する主弁体１２を着座、離座させるための弁座１８が形成されている。止水状態では主弁体１２が弁座１８に着座しているが、押しボタン１１を押圧操作して吐水状態にすると、主弁体１２が弁座１８から離れ、吐水具本体５３ｂの通水路５３ｃへ流入した湯水は、弁座１８と主弁体１２との間を通過して通水路５３ｄへ流入し、吐水口５４ａから吐出される。
【００２３】
このように、吐水装置１０においては、吐水部５３の基端部５３ｙに開設された筒状連結部６０内に、支持管５２の先端部５２ａに突設された環状連結部５７が深く挿入されることによって吐水部５３と支持管５２とが連結されるため、吐水部５３と支持管５２とを確実かつ安定的に連結することができ、ガタツキも発生しない。また、支持管５２の先端部５２ａに突設された環状連結部５７の突設方向を、当該支持管５２の先端部５２ａにおける中心軸の仮想延長線Ｌより下方に傾斜させて配置しているため、重力方向に近い角度で吐水部５３を引き出すことが可能であり、その引き出し操作も容易である。
【００２４】
前述したように、環状連結部５７の外周および筒状連結部６０の内周には、それぞれ横断面形状が楕円形状をなし、互いに係脱可能な嵌合部５７ａ，６０ａが設けられているため、吐水部５３が支持管５２に連結されているとき、吐水部５３は支持管５２に対して回転不能な状態にあるため、連結時の安定性に優れている。また、押しボタン１１の押圧操作により吐水状態、止水状態を切替可能な吐水装置１０が吐水部５３に設けられているため、吐水部５３において吐水・止水の切替操作が可能であり、極めて使い易い。
【００２５】
ここで、図８，図９に基づいて、開閉バルブについて詳細に説明する。開閉バルブを構成する主弁体１２はパイロット弁部１３との間に圧力室１２ａを形成したダイヤフラム弁体であり、この圧力室１２ａ内の水を通水路５３ｄへ排水する圧力開放穴１２ｂと、通水路５３ｃからの水を圧力室１２ａ内へ流入させるブリード穴１２ｃが設けられており、その周囲のフランジ部１２ｄが、受入部５３ｅに対して、パイロット弁部１３によって押し付けられた状態で固定されている。
【００２６】
パイロット弁部１３は圧力開放穴１２ｂを開閉するためのパイロット弁１３１を圧力室形成部材１３２内に収納してなり、パイロット弁１３１はバネ１３１ａによって下方に付勢され、圧力開放穴１２ｂに当接することにより、圧力室１２ａからの湯水の流出を防いでいる。また、このパイロット弁１３１は圧力室形成部材１３２から突出する連結棒１３３によって中間部材１３４に連結されている。この連結棒１３３はキャップ１３５によって中間部材１３４に固定されている。
【００２７】
中間部材１３４は操作力伝達部材１３６に嵌め込まれ、両者は一体化した状態で上下に移動可能である。この操作力伝達部材１３６は固定筒１３８内を上下に移動可能であり、この固定筒１３８の内周に設けられているカム溝１３８ａに、操作力伝達部材１３６の外周下部に設けられたカム突起１３６ａが嵌り込んでおり、また、バネ１３７によって上方に付勢されている。操作力伝達部材１３６は、固定筒１３８と、この固定筒１３８に対して回動可能な操作筒１３９によって囲まれている。
【００２８】
このような開閉バルブにおいて、操作力伝達部材１３６が押しボタン１１の押圧操作によって下方向に押されると、操作力伝達部材１３６の外周下部に設けられたカム突起１３６ａがカム溝１３８ａによるラッチ状態から外れてバネ１３７による付勢により上方へ移動する。この移動に伴い、中間部材１３４および連結棒１３３も上方へ移動し、連結棒１３３の下端に設けられた拡張部１３３ａによってパイロット弁１３１が引き上げられ、圧力開放穴１２ｂが開放される。その結果、圧力室１２ａ内の湯水が通水路５３ｄへ排出され、主弁体１２が弁座１８から離れるように上昇することにより、通水路５３ｃから通水路５３ｄへ向かって吐水される。
【００２９】
この後、押しボタン１１の押圧操作によって操作力伝達部材１３６が再度下方向に押されると、操作力伝達部材１３６の外周下部に設けられたカム突起１３６ａがカム溝１３８ａによるラッチ状態に移行する。その結果、中間部材１３４および連結棒１３３も下方へ移動し、パイロット弁１３１がバネ１３１ａによって押し下げられ、主弁体１２へ当接して圧力開放穴１２ｂが閉塞される。すると、圧力室１２ａにはブリード穴１２ｃを通じて通水路５３ｃからの湯水が流入することによって圧力室１２ａ内の圧力が高まり、主弁体１２が弁座１８へ向けて下降して当接することにより、通水路５３ｃから通水路５３ｄへ向かう吐水が停止される。
【００３０】
なお、パイロット弁部１３を構成する操作筒１３ａを回動させると、パイロット弁部１３が昇降して主弁体１２の最大上昇高さが変化し、吐水状態における、弁座１８と主弁体１２との隙間が増減するので、吐水量を変化させることができるが、本実施形態の場合、流量温度調節部５５により水栓装置５０の流量調節が可能なことから、吐水装置１０においては、外部から吐水量調節を行わない構造としている。
【００３１】
図８，図９に示すように、バルブ押さえ１４は、その外周下端部に形成された雄ネジ部１４ａを、吐水具本体５３ｂの受入部５３ｅの内周に形成された雌ネジ部５３ｆに螺着させることによって固定され、吐水具本体５３ｂはカバー５３ａに回転不能に固定されている。押しボタン１１は、同心円状に配置された外筒１１ａおよび内筒１１ｂを上端部分で連結した形状であり、外筒１１ａの内周に形成された軸心方向の複数の凸条１１ｃを、ボタンガイド１５の外周に形成された軸心方向の凹溝１５ａの両端部分に係合させた状態で装着されている。従って、押しボタン１１はボタンガイド１５に対して回転不能に装着されている。
【００３２】
これにより、吐水具本体５３ｂに対して回転不能に装着されたボタンガイド１５がバルブ押さえ１４の外周に位置し、このボタンガイド１５に対して押しボタン１１が回転不能に装着された構造が形成される。従って、押しボタン１１を押圧操作すると、主弁体１２が弁座１８からの離座、着座を交互に繰り返すことにより、従来の吐水装置と同様に、吐水状態、止水状態の切り替えが行われる。一方、押しボタン１１に回転操作力が加えられた場合、その回転操作力は、吐水具本体５３ｂに回転不能に装着されたボタンガイド１５を介して吐水具本体５３ｂで受けることとなる。このため、押しボタン１１に加えられた回転操作力がパイロット弁部１３やバルブ押さえ１４に伝達されることがなく、バルブ押さえ１４の緩みを防止することができる。
【００３３】
また、バルブ押さえ１４は、その外周面に形成された複数の軸心方向の凹溝１４ｂと、ボタンガイド１５の内周面に形成された複数の軸心方向の凸条１５ｂとを互いに嵌合させることによって、ボタンガイド１５に対して回転不能に係止されている。従って、パイロット弁部１３からバルブ押さえ１４に回転力が加わったとき、ボタンガイド１５によってバルブ押さえ１４の回転が阻止されることとなり、バルブ押さえ１４の緩みが発生することもない。
【００３４】
一方、図８に示すように、押しボタン１１の内筒１１ｂの下端部分には、パイロット弁部１３の操作筒１３９から上方に突出した突条１３９ａに弾性変形して係合固定される（所謂、スナップフィット固定される）爪部１１ｄが設けられており、この突条１３９ａの変形を規制するためのインデックス１７が、押しボタン１１の上面開口部から突条１３９ａの内側に向かって、その脚部１７ａが当接するように嵌め込まれている。なお、インデックス１７の脚部１７ａの一部に設けられた爪部１７ｂが、突条１３９ａのスリット部１３９ｂに嵌合されている。これにより、内筒１１ｂの上面開口部はインデックス１７によって閉塞され、押しボタン１１がパイロット弁部１３に対して強固に固定されるため、経年劣化などによって押しボタン１１にガタが生じたり、外れたりするのを防止することができ、優れた耐久性を発揮する。
【００３５】
また、図５，図８および図１１で示したように、吐水部５３は、合成樹脂で形成された吐水具本体５３ｂと、吐水具本体５３ｂの外表面を略密着状に被覆する金属製のカバー５３ａとで形成されている。従って、吐水部５３においては、十分な強度および耐久性を確保しつつ、軽量化を実現することができる。また、金属製のカバー５３ａに各種メッキ加工を施すことによって意匠性の向上も図ることができる。
【００３６】
前述したように、吐水具本体５３ｂ内には安全弁１９が配置されているため、吐水装置１０より上流側にある通水路５３ｃ内の水圧が、規定圧力であるバネ１９ａの付勢力を超えると安全弁１９が開弁して、通水路５３ｃ内の湯水は排水口１９ｂを通って、吐水具本体５３ｂとカバー５３ａとの間の空洞部５３ｇに排水され、過大圧力を開放することができる。従って、給水源における水圧上昇などのトラブルが発生したときに、吐水部５３や自在管５６などの構成部材が損傷したり、破壊したりするのを防止することができる。
【００３７】
この場合、安全弁１９から空洞部５３ｇに排出された湯水は、吐水具本体５３ｂとカバー５３ａとの隙間を通って下方へ流動していき、吐水部５３の先端部５３ｘから流下するので、吐水口５４ａからの漏水とは異なることが見るだけで判り、水圧異常に対して速やかな対応をとることができる。
【産業上の利用可能性】
【００３８】
本発明の水栓装置は、一般住宅の流し台や洗面台などに設置して広く利用することができる。
【図面の簡単な説明】
【００３９】
【図１】本発明の実施の形態である水栓装置を示す側面図である。
【図２】図１に示す水栓装置のスパウトから吐水部を引き出した状態で示す側面図である。
【図３】図１に示す水栓装置を構成するスパウトおよび吐水部の正面図である。
【図４】図２に示す水栓装置の一部省略正面図である。
【図５】図３におけるＡ−Ａ線断面図である。
【図６】図４におけるＢ−Ｂ線断面図である。
【図７】図１に示す水栓装置の吐水部付近の分解図である。
【図８】図５の一部拡大図である。
【図９】図１に示す水栓装置の吐水部を構成する開閉バルブの分解斜視図である。
【図１０】図８におけるＤ−Ｄ線断面図である。
【図１１】図５におけるＣ−Ｃ線断面図である。
【符号の説明】
【００４０】
１０  吐水装置
１１  押しボタン
１１ａ  外筒
１１ｂ  内筒
１１ｃ，１５ｂ  凸条
１１ｄ，１７ｂ  爪部
１２  主弁体
１２ａ  圧力室
１２ｂ  圧力開放穴
１２ｃ  フリード穴
１２ｄ  フランジ部
１３  パイロット弁部
１３ａ  操作筒
１４  バルブ押さえ
１４ａ  雄ネジ部
１４ｂ  凹溝
１５  ボタンガイド
１５ａ  凹溝
１６  ストッパ
１７  インデックス
１７ａ  脚部
１８  弁座
１９  安全弁
１９ａ  バネ
１９ｂ  排水口
５０  水栓装置
５１  本体部
５２  支持管
５２ａ，５３ｘ，５６ａ  先端部
５３  吐水部
５３ａ  カバー
５３ｂ  吐水具本体
５３ｃ，５３ｄ  通水路
５３ｅ  受入部
５３ｆ  雌ネジ部
５３ｇ  空洞部
５３ｙ  基端部
５４  切替操作部
５４ａ  吐水口
５５  流量温度調節部
５６  自在管
５７  環状連結部
５７ａ，６０ａ  嵌合部
５７ｂ  周溝
５７ｃ  先端部
５８  板バネ
５８ａ  角部
５９  係止具
６０  筒状連結部
６１  継ぎ手
６２  ネジ
１３１  パイロット弁
１３１ａ，１３７  バネ
１３２  圧力室形成部材
１３３  連結棒
１３３ａ  拡張部
１３４  中間部材
１３５  キャップ
１３６  操作力伝達部材
１３６ａ  カム突起
１３６ｂ  クラッチ面
１３８  固定筒
１３８ａ  カム溝
１３９  操作筒
１３９ａ  突条
１３９ｂ  スリット部
１３９ｄ  クラッチリング
１３９ｅ  傾斜面
Ｌ  仮想延長線
Ｐ  突設方向
Ｓ  設置面
【図１】
2007085142.tif 000003
【図２】
2007085142.tif 000004
【図３】
2007085142.tif 000005
【図４】
2007085142.tif 000006
【図５】
2007085142.tif 000007
【図６】
2007085142.tif 000008
【図７】
2007085142.tif 000009
【図８】
2007085142.tif 000010
【図９】
2007085142.tif 000011
【図１０】
2007085142.tif 000012
【図１１】
2007085142.tif 000013